(57)【要約】【課題】撮影者の主観や熟練度に左右されることなく、迅速かつ効率的に所望の撮影画像を得ること。【解決手段】撮影端末４０で被写体を撮影するのに適した撮影条件情報（撮影位置、撮影方向、撮影角度、オートフォーカス機能、シャッタ速度、絞り値、露光方式等）を設定する工程と、該撮影条件情報を撮影端末４０へ送信する工程と、撮影条件情報に基づいて撮影端末４０で撮影された画像情報を受信する工程と、画像情報が所定の基準を満たさない場合、該基準を満たすように、撮影条件情報を変更する工程と、変更後の撮影条件情報を撮影端末４０へ再送信する工程とを含む。【選択図】        図１
2005117190.tif 000002
【特許請求の範囲】
【請求項１】
撮影端末で被写体を撮影するのに適した撮影条件情報を設定する設定工程と、
前記撮影条件情報を前記撮影端末へ送信する送信工程と、
前記撮影条件情報に基づいて前記撮影端末で撮影された画像情報を受信する受信工程と、
前記画像情報が所定の基準を満たさない場合、該基準を満たすように、前記撮影条件情報を変更する変更工程と、
変更後の撮影条件情報を前記撮影端末へ再送信する再送信工程と、
をコンピュータに実行させるための撮影支援プログラム。
【請求項２】
前記設定工程では、熟練度が高い撮影指示者に前記撮影条件情報を設定させることを特徴とする請求項１に記載の撮影支援プログラム。
【請求項３】
前記設定工程では、前記撮影条件情報の一部をキーとして、過去の撮影条件情報から今回の撮影に適した撮影条件情報を検索し、検索された撮影条件情報を設定することを特徴とする請求項１に記載の撮影支援プログラム。
【請求項４】
前記設定工程では、前記撮影条件情報が複数検索された場合、複数の撮影条件情報の中から一つの撮影条件情報を選択し、該撮影条件情報を設定することを特徴とする請求項３に記載の撮影支援プログラム。
【請求項５】
前記撮影条件情報には、撮影位置の情報が含まれており、該撮影位置の情報は、前記撮影端末において撮影者を撮影位置へ案内するのに用いられることを特徴とする請求項１〜４のいずれか一つに記載の撮影支援プログラム。
【請求項６】
前記撮影条件情報には、撮影時における前記撮影端末の姿勢の情報が含まれており、該姿勢の情報は、設定された姿勢に前記撮影端末を調整するのに用いられることを特徴とする請求項１〜５のいずれか一つに記載の撮影支援プログラム。
【請求項７】
前記姿勢の情報は、撮影位置、撮影方向および撮影角度の情報であることを特徴とする請求項６に記載の撮影支援プログラム。
【請求項８】
前記撮影条件情報は、撮影位置、撮影方向、撮影角度、被写体、撮影パラメータの情報を含むことを特徴とする請求項１〜７のいずれか一つに記載の撮影支援プログラム。
【請求項９】
前記変更工程では、今回の画像情報と過去の画像情報とを対比した結果に基づいて、前記撮影条件情報を変更することを特徴とする請求項１〜８のいずれか一つに記載の撮影支援プログラム。
【請求項１０】
前記変更工程では、前記過去の画像情報に対応する撮影条件情報を、変更後の撮影条件情報とすることを特徴とする請求項９に記載の撮影支援プログラム。
【請求項１１】
前記設定工程では、撮影位置付近の電子地図に基づいて、撮影位置、撮影方向の情報を撮影条件情報として設定することを特徴とする請求項１〜１０のいずれか一つに記載の撮影支援プログラム。
【請求項１２】
前記変更工程では、設定された撮影位置および撮影方向がマッピングされた電子地図、撮影された画像情報、前記撮影条件情報を撮影指示者に提示し、該撮影指示者に撮影条件情報を変更させることを特徴とする請求項１〜１１のいずれか一つに記載の撮影支援プログラム。
【請求項１３】
前記変更工程では、撮影指示者と撮影者との間に双方向通信路を設定し、該撮影指示者に撮影条件情報の変更を指示させることを特徴とする請求項１〜１１のいずれか一つに記載の撮影支援プログラム。
【請求項１４】
撮影端末で被写体を撮影するのに適した撮影条件情報を設定する設定工程と、
前記撮影条件情報を前記撮影端末へ送信する送信工程と、
前記撮影条件情報に基づいて前記撮影端末で撮影された画像情報を受信する受信工程と、
前記画像情報が所定の基準を満たさない場合、該基準を満たすように、前記撮影条件情報を変更する変更工程と、
変更後の撮影条件情報を前記撮影端末へ再送信する再送信工程と、
を含むことを特徴とする撮影支援方法。
【請求項１５】
前記設定工程では、熟練度が高い撮影指示者に前記撮影条件情報を設定させることを特徴とする請求項１４に記載の撮影支援方法。
【請求項１６】
前記設定工程では、前記撮影条件情報の一部をキーとして、過去の撮影条件情報から今回の撮影に適した撮影条件情報を検索し、検索された撮影条件情報を設定することを特徴とする請求項１４に記載の撮影支援方法。
【請求項１７】
前記設定工程では、前記撮影条件情報が複数検索された場合、複数の撮影条件情報の中から一つの撮影条件情報を選択し、該撮影条件情報を設定することを特徴とする請求項１６に記載の撮影支援方法。
【請求項１８】
前記撮影条件情報には、撮影位置の情報が含まれており、該撮影位置の情報は、前記撮影端末において撮影者を撮影位置へ案内するのに用いられることを特徴とする請求項１４〜１７のいずれか一つに記載の撮影支援方法。
【請求項１９】
前記撮影条件情報には、撮影時における前記撮影端末の姿勢の情報が含まれており、該姿勢の情報は、設定された姿勢に前記撮影端末を調整するのに用いられることを特徴とする請求項１４〜１８のいずれか一つに記載の撮影支援方法。
【請求項２０】
前記姿勢の情報は、撮影位置、撮影方向および撮影角度の情報であることを特徴とする請求項１９に記載の撮影支援方法。
【請求項２１】
前記撮影条件情報は、撮影位置、撮影方向、撮影角度、被写体、撮影パラメータの情報を含むことを特徴とする請求項１４〜２０のいずれか一つに記載の撮影支援方法。
【請求項２２】
前記変更工程では、今回の画像情報と過去の画像情報とを対比した結果に基づいて、前記撮影条件情報を変更することを特徴とする請求項１４〜２１のいずれか一つに記載の撮影支援方法。
【請求項２３】
前記変更工程では、前記過去の画像情報に対応する撮影条件情報を、変更後の撮影条件情報とすることを特徴とする請求項２２に記載の撮影支援方法。
【請求項２４】
前記設定工程では、撮影位置付近の電子地図に基づいて、撮影位置、撮影方向の情報を撮影条件情報として設定することを特徴とする請求項１４〜２３のいずれか一つに記載の撮影支援方法。
【請求項２５】
前記変更工程では、設定された撮影位置および撮影方向がマッピングされた電子地図、撮影された画像情報、前記撮影条件情報を撮影指示者に提示し、該撮影指示者に撮影条件情報を変更させることを特徴とする請求項１４〜２４のいずれか一つに記載の撮影支援方法。
【請求項２６】
前記変更工程では、撮影指示者と撮影者との間に双方向通信路を設定し、該撮影指示者に撮影条件情報の変更を指示させることを特徴とする請求項１４〜２４のいずれか一つに記載の撮影支援方法。
【請求項２７】
撮影端末で被写体を撮影するのに適した撮影条件情報を設定する設定手段と、
前記撮影条件情報を前記撮影端末へ送信する送信手段と、
前記撮影条件情報に基づいて前記撮影端末で撮影された画像情報を受信する受信手段と、
前記画像情報が所定の基準を満たさない場合、該基準を満たすように、前記撮影条件情報を変更する変更手段と、
変更後の撮影条件情報を前記撮影端末へ再送信する再送信手段と、
を備えたことを特徴とする撮影支援装置。
【請求項２８】
前記設定手段は、熟練度が高い撮影指示者に前記撮影条件情報を設定させることを特徴とする請求項２７に記載の撮影支援装置。
【請求項２９】
前記設定手段は、前記撮影条件情報の一部をキーとして、過去の撮影条件情報から今回の撮影に適した撮影条件情報を検索し、検索された撮影条件情報を設定することを特徴とする請求項２７に記載の撮影支援装置。
【請求項３０】
前記設定手段は、前記撮影条件情報が複数検索された場合、複数の撮影条件情報の中から一つの撮影条件情報を選択し、該撮影条件情報を設定することを特徴とする請求項２９に記載の撮影支援装置。
【請求項３１】
前記撮影条件情報には、撮影位置の情報が含まれており、該撮影位置の情報は、前記撮影端末において撮影者を撮影位置へ案内するのに用いられることを特徴とする請求項２７〜３０のいずれか一つに記載の撮影支援装置。
【請求項３２】
前記撮影条件情報には、撮影時における前記撮影端末の姿勢の情報が含まれており、該姿勢の情報は、設定された姿勢に前記撮影端末を調整するのに用いられることを特徴とする請求項２７〜３１のいずれか一つに記載の撮影支援装置。
【請求項３３】
前記姿勢の情報は、撮影位置、撮影方向および撮影角度の情報であることを特徴とする請求項３２に記載の撮影支援装置。
【請求項３４】
前記撮影条件情報は、撮影位置、撮影方向、撮影角度、被写体、撮影パラメータの情報を含むことを特徴とする請求項２７〜３３のいずれか一つに記載の撮影支援装置。
【請求項３５】
前記変更手段は、今回の画像情報と過去の画像情報とを対比した結果に基づいて、前記撮影条件情報を変更することを特徴とする請求項２７〜３４のいずれか一つに記載の撮影支援装置。
【請求項３６】
前記変更手段は、前記過去の画像情報に対応する撮影条件情報を、変更後の撮影条件情報とすることを特徴とする請求項３５に記載の撮影支援装置。
【請求項３７】
前記設定手段は、撮影位置付近の電子地図に基づいて、撮影位置、撮影方向の情報を撮影条件情報として設定することを特徴とする請求項２７〜３６のいずれか一つに記載の撮影支援装置。
【請求項３８】
前記変更手段は、設定された撮影位置および撮影方向がマッピングされた電子地図、撮影された画像情報、前記撮影条件情報を撮影指示者に提示し、該撮影指示者に撮影条件情報を変更させることを特徴とする請求項２７〜３７のいずれか一つに記載の撮影支援装置。
【請求項３９】
前記変更手段は、撮影指示者と撮影者との間に双方向通信路を設定し、該撮影指示者に撮影条件情報の変更を指示させることを特徴とする請求項２７〜３７のいずれか一つに記載の撮影支援装置。
【発明の詳細な説明】
【技術分野】
【０００１】
本発明は、デジタルカメラ等を用いた撮影の支援に用いられる撮影支援プログラム、撮影支援方法および撮影支援装置に関するものであり、特に、撮影者の主観や熟練度に左右されることなく、迅速かつ効率的に所望の画像情報を得ることができる撮影支援プログラム、撮影支援方法および撮影支援装置に関するものである。
【背景技術】
【０００２】
近時、デジタルカメラの普及が著しい。このデジタルカメラは、現像が不要である点、撮影した画像を画像データとしてコンピュータネットワークシステムで容易に取り扱える点等から、既存のフィルム式のカメラに比べて利便性が高く、個人はもとより、企業においても幅広く利用されている。
【０００３】
企業においては、現場にてデジタルカメラで被写体を撮影した後、画像データを移動体ネットワークやインターネットを介して、会社側のコンピュータへ即時に送信することにより、業務効率が飛躍的に高まる。
【０００４】
【特許文献１】特開２００３−１１０７９３号公報
【発明の開示】
【発明が解決しようとする課題】
【０００５】
ところで、従来においては、最新式のデジタルカメラといえども、撮影角度や構図の取り方等に撮影者の主観が入り、さらに熟練度に左右されるため、撮影された画像に出来不出来が生じる。これは、個人趣味の撮影ならば、画像の出来不出来も撮影の面白さとなるが、企業の業務としての撮影ならば、そうはいかない。
【０００６】
特に、客観的な撮影が求められる業務においては、撮影者の主観が入ることにより、業務に使えない画像をいたずらに撮ることになり、撮り直しが生じ、業務効率が低くなるという問題があった。
【０００７】
特に、経験が浅い撮影者の場合には、撮り直しが頻繁に発生し、本人にとっても、企業にとっても好ましくない状況が発生する。
【０００８】
また、従来においては、デジタルカメラで会心の画像を撮ることができたとしても、１回１回の撮影でクローズしてしまうため、次回の撮影にその経験を生かすことが難しいという問題があった。
【０００９】
本発明は、上記に鑑みてなされたものであって、撮影者の主観や熟練度に左右されることなく、迅速かつ効率的に所望の画像情報を得ることができる撮影支援プログラム、撮影支援方法および撮影支援装置を提供することを目的とする。
【課題を解決するための手段】
【００１０】
上述した課題を解決し、目的を達成するために、本発明は、撮影端末で被写体を撮影するのに適した撮影条件情報を設定する設定工程と、前記撮影条件情報を前記撮影端末へ送信する送信工程と、前記撮影条件情報に基づいて前記撮影端末で撮影された画像情報を受信する受信工程と、前記画像情報が所定の基準を満たさない場合、該基準を満たすように、前記撮影条件情報を変更する変更工程と、変更後の撮影条件情報を前記撮影端末へ再送信する再送信工程と、をコンピュータに実行させるための撮影支援プログラムである。
【００１１】
本発明によれば、撮影端末で被写体を撮影するのに適した設定された撮影条件情報を撮影端末へ送信し、撮影条件情報に基づいて撮影端末で撮影された画像情報が所定の基準を満たさない場合、該基準を満たすように、撮影条件情報を変更し、変更後の撮影条件情報を撮影端末へ再送信することとしたので、撮影者の主観や熟練度に左右されることなく、迅速かつ効率的に所望の画像情報を得ることができる。
【００１２】
また、本発明は、上記発明において、前記設定工程では、熟練度が高い撮影指示者に前記撮影条件情報を設定させることを特徴とする。
【００１３】
本発明によれば、熟練度が高い撮影指示者に撮影条件情報を設定させることとしたので、さらに、迅速かつ効率的に所望の画像情報を得ることができる。
【００１４】
また、本発明は、上記発明において、前記設定工程では、前記撮影条件情報の一部をキーとして、過去の撮影条件情報から今回の撮影に適した撮影条件情報を検索し、検索された撮影条件情報を設定することを特徴とする。
【００１５】
本発明によれば、撮影条件情報の一部をキーとして、過去の撮影条件情報から今回の撮影に適した撮影条件情報を検索し、検索された撮影条件情報を設定することとしたので、過去の撮影実績を今回の撮影に有効に活かすことができる。
【００１６】
また、本発明は、上記発明において、前記設定工程では、前記撮影条件情報が複数検索された場合、複数の撮影条件情報の中から一つの撮影条件情報を選択し、該撮影条件情報を設定することを特徴とする。
【００１７】
本発明によれば、撮影条件情報が複数検索された場合、複数の撮影条件情報の中から一つの撮影条件情報を選択し、該撮影条件情報を設定することとしたので、過去の撮影実績を今回の撮影に有効に活かすことができる。
【００１８】
また、本発明は、上記発明において、前記撮影条件情報には、撮影位置の情報が含まれており、該撮影位置の情報は、前記撮影端末において撮影者を撮影位置へ案内するのに用いられることを特徴とする。
【００１９】
本発明によれば、撮影条件情報に含まれる撮影位置の情報を、撮影端末において撮影者を撮影位置へ案内するのに用いることとしたので、迅速に撮影者を撮影位置へ到着させ、撮影にかかる時間を節約することができる。
【００２０】
また、本発明は、上記発明において、前記撮影条件情報には、撮影時における前記撮影端末の姿勢の情報が含まれており、該姿勢の情報は、設定された姿勢に前記撮影端末を調整するのに用いられることを特徴とする。
【００２１】
本発明によれば、撮影条件情報に含まれる撮影端末の姿勢の情報を、設定された姿勢に撮影端末を調整するのに用いることとしたので、撮影者のスキルによらず、的確な姿勢調整を行うことができる。
【００２２】
また、本発明は、上記発明において、前記姿勢の情報は、撮影位置、撮影方向および撮影角度の情報であることを特徴とする。
【００２３】
本発明によれば、姿勢の情報を、撮影位置、撮影方向および撮影角度の情報としたので、撮影者のスキルによらず、撮影端末の姿勢を迅速に調整することができる。
【００２４】
また、本発明は、上記発明において、前記撮影条件情報は、撮影位置、撮影方向、撮影角度、被写体、撮影パラメータの情報を含むことを特徴とする。
【００２５】
本発明によれば、撮影条件情報を、撮影位置、撮影方向、撮影角度、被写体、撮影パラメータの情報を含むこととしたので、撮影者のスキルによらず、撮影端末の姿勢の調整、撮影パラメータの設定を迅速に行うことができる。
【００２６】
また、本発明は、上記発明において、前記変更工程では、今回の画像情報と過去の画像情報とを対比した結果に基づいて、前記撮影条件情報を変更することを特徴とする。
【００２７】
本発明によれば、今回の画像情報と過去の画像情報とを対比した結果に基づいて、撮影条件情報を変更することとしたので、今回の画像情報に対して的確な評価ができ、より適切に変更することができる。
【００２８】
また、本発明は、上記発明において、前記変更工程では、前記過去の画像情報に対応する撮影条件情報を、変更後の撮影条件情報とすることを特徴とする。
【００２９】
本発明によれば、過去の画像情報に対応する撮影条件情報を、変更後の撮影条件情報とすることとしたので、過去の撮影実績を再撮影に有効に活かすことができる。
【００３０】
また、本発明は、上記発明において、前記設定工程では、撮影位置付近の電子地図に基づいて、撮影位置、撮影方向の情報を撮影条件情報として設定することを特徴とする。
【００３１】
本発明によれば、撮影位置付近の電子地図に基づいて、撮影位置、撮影方向の情報を撮影条件情報として設定することとしたので、的確な設定を行うことができる。
【００３２】
また、本発明は、上記発明において、前記変更工程では、設定された撮影位置および撮影方向がマッピングされた電子地図、撮影された画像情報、前記撮影条件情報を撮影指示者に提示し、該撮影指示者に撮影条件情報を変更させることを特徴とする。
【００３３】
本発明によれば、設定された撮影位置および撮影方向がマッピングされた電子地図、撮影された画像情報、撮影条件情報を撮影指示者に提示し、該撮影指示者に撮影条件情報を変更させることとしたので、的確に変更を行うことができる。
【００３４】
また、本発明は、上記発明において、前記変更工程では、撮影指示者と撮影者との間に双方向通信路を設定し、該撮影指示者に撮影条件情報の変更を指示させることを特徴とする。
【００３５】
本発明によれば、撮影指示者と撮影者との間に双方向通信路を設定し、該撮影指示者に撮影条件情報の変更を指示させることとしたので、両者の会話を介して、迅速に変更することができる。
【００３６】
また、本発明は、撮影端末で被写体を撮影するのに適した撮影条件情報を設定する設定工程と、前記撮影条件情報を前記撮影端末へ送信する送信工程と、前記撮影条件情報に基づいて前記撮影端末で撮影された画像情報を受信する受信工程と、前記画像情報が所定の基準を満たさない場合、該基準を満たすように、前記撮影条件情報を変更する変更工程と、変更後の撮影条件情報を前記撮影端末へ再送信する再送信工程と、を含むことを特徴とする。
【００３７】
本発明によれば、撮影端末で被写体を撮影するのに適した設定された撮影条件情報を撮影端末へ送信し、撮影条件情報に基づいて撮影端末で撮影された画像情報が所定の基準を満たさない場合、該基準を満たすように、撮影条件情報を変更し、変更後の撮影条件情報を撮影端末へ再送信することとしたので、撮影者の主観や熟練度に左右されることなく、迅速かつ効率的に所望の画像情報を得ることができる。
【００３８】
また、本発明は、上記発明において、前記設定工程では、熟練度が高い撮影指示者に前記撮影条件情報を設定させることを特徴とする。
【００３９】
本発明によれば、熟練度が高い撮影指示者に撮影条件情報を設定させることとしたので、さらに、迅速かつ効率的に所望の画像情報を得ることができる。
【００４０】
また、本発明は、上記発明において、前記設定工程では、前記撮影条件情報の一部をキーとして、過去の撮影条件情報から今回の撮影に適した撮影条件情報を検索し、検索された撮影条件情報を設定することを特徴とする。
【００４１】
本発明によれば、撮影条件情報の一部をキーとして、過去の撮影条件情報から今回の撮影に適した撮影条件情報を検索し、検索された撮影条件情報を設定することとしたので、過去の撮影実績を今回の撮影に有効に活かすことができる。
【００４２】
また、本発明は、上記発明において、前記設定工程では、前記撮影条件情報が複数検索された場合、複数の撮影条件情報の中から一つの撮影条件情報を選択し、該撮影条件情報を設定することを特徴とする。
【００４３】
本発明によれば、撮影条件情報が複数検索された場合、複数の撮影条件情報の中から一つの撮影条件情報を選択し、該撮影条件情報を設定することとしたので、過去の撮影実績を今回の撮影に有効に活かすことができる。
【００４４】
また、本発明は、上記発明において、前記撮影条件情報には、撮影位置の情報が含まれており、該撮影位置の情報は、前記撮影端末において撮影者を撮影位置へ案内するのに用いられることを特徴とする。
【００４５】
本発明によれば、撮影条件情報に含まれる撮影位置の情報を、撮影端末において撮影者を撮影位置へ案内するのに用いることとしたので、迅速に撮影者を撮影位置へ到着させ、撮影にかかる時間を節約することができる。
【００４６】
また、本発明は、上記発明において、前記撮影条件情報には、撮影時における前記撮影端末の姿勢の情報が含まれており、該姿勢の情報は、設定された姿勢に前記撮影端末を調整するのに用いられることを特徴とする。
【００４７】
本発明によれば、撮影条件情報に含まれる撮影端末の姿勢の情報を、設定された姿勢に撮影端末を調整するのに用いることとしたので、撮影者のスキルによらず、的確な姿勢調整を行うことができる。
【００４８】
また、本発明は、上記発明において、前記姿勢の情報は、撮影位置、撮影方向および撮影角度の情報であることを特徴とする。
【００４９】
本発明によれば、姿勢の情報を、撮影位置、撮影方向および撮影角度の情報としたので、撮影者のスキルによらず、撮影端末の姿勢を迅速に調整することができる。
【００５０】
また、本発明は、上記発明において、前記撮影条件情報は、撮影位置、撮影方向、撮影角度、被写体、撮影パラメータの情報を含むことを特徴とする。
【００５１】
本発明によれば、撮影条件情報を、撮影位置、撮影方向、撮影角度、被写体、撮影パラメータの情報を含むこととしたので、撮影者のスキルによらず、撮影端末の姿勢の調整、撮影パラメータの設定を迅速に行うことができる。
【００５２】
また、本発明は、上記発明において、前記変更工程では、今回の画像情報と過去の画像情報とを対比した結果に基づいて、前記撮影条件情報を変更することを特徴とする。
【００５３】
本発明によれば、今回の画像情報と過去の画像情報とを対比した結果に基づいて、撮影条件情報を変更することとしたので、今回の画像情報に対して的確な評価ができ、より適切に変更することができる。
【００５４】
また、本発明は、上記発明において、前記変更工程では、前記過去の画像情報に対応する撮影条件情報を、変更後の撮影条件情報とすることを特徴とする。
【００５５】
本発明によれば、過去の画像情報に対応する撮影条件情報を、変更後の撮影条件情報とすることとしたので、過去の撮影実績を再撮影に有効に活かすことができる。
【００５６】
また、本発明は、上記発明において、前記設定工程では、撮影位置付近の電子地図に基づいて、撮影位置、撮影方向の情報を撮影条件情報として設定することを特徴とする。
【００５７】
本発明によれば、撮影位置付近の電子地図に基づいて、撮影位置、撮影方向の情報を撮影条件情報として設定することとしたので、的確な設定を行うことができる。
【００５８】
また、本発明は、上記発明において、前記変更工程では、設定された撮影位置および撮影方向がマッピングされた電子地図、撮影された画像情報、前記撮影条件情報を撮影指示者に提示し、該撮影指示者に撮影条件情報を変更させることを特徴とする。
【００５９】
本発明によれば、設定された撮影位置および撮影方向がマッピングされた電子地図、撮影された画像情報、撮影条件情報を撮影指示者に提示し、該撮影指示者に撮影条件情報を変更させることとしたので、的確に変更を行うことができる。
【００６０】
また、本発明は、上記発明において、前記変更工程では、撮影指示者と撮影者との間に双方向通信路を設定し、該撮影指示者に撮影条件情報の変更を指示させることを特徴とする。
【００６１】
本発明によれば、撮影指示者と撮影者との間に双方向通信路を設定し、該撮影指示者に撮影条件情報の変更を指示させることとしたので、両者の会話を介して、迅速に変更することができる。
【００６２】
また、本発明は、上記発明において、撮影端末で被写体を撮影するのに適した撮影条件情報を設定する設定手段と、前記撮影条件情報を前記撮影端末へ送信する送信手段と、前記撮影条件情報に基づいて前記撮影端末で撮影された画像情報を受信する受信手段と、前記画像情報が所定の基準を満たさない場合、該基準を満たすように、前記撮影条件情報を変更する変更手段と、変更後の撮影条件情報を前記撮影端末へ再送信する再送信手段と、を備えたことを特徴とする。
【００６３】
本発明によれば、撮影端末で被写体を撮影するのに適した設定された撮影条件情報を撮影端末へ送信し、撮影条件情報に基づいて撮影端末で撮影された画像情報が所定の基準を満たさない場合、該基準を満たすように、撮影条件情報を変更し、変更後の撮影条件情報を撮影端末へ再送信することとしたので、撮影者の主観や熟練度に左右されることなく、迅速かつ効率的に所望の画像情報を得ることができる。
【００６４】
また、本発明は、上記発明において、前記設定手段は、熟練度が高い撮影指示者に前記撮影条件情報を設定させることを特徴とする。
【００６５】
本発明によれば、熟練度が高い撮影指示者に撮影条件情報を設定させることとしたので、さらに、迅速かつ効率的に所望の画像情報を得ることができる。
【００６６】
また、本発明は、上記発明において、前記設定手段は、前記撮影条件情報の一部をキーとして、過去の撮影条件情報から今回の撮影に適した撮影条件情報を検索し、検索された撮影条件情報を設定することを特徴とする。
【００６７】
本発明によれば、撮影条件情報の一部をキーとして、過去の撮影条件情報から今回の撮影に適した撮影条件情報を検索し、検索された撮影条件情報を設定することとしたので、過去の撮影実績を今回の撮影に有効に活かすことができる。
【００６８】
また、本発明は、上記発明において、前記設定手段は、前記撮影条件情報が複数検索された場合、複数の撮影条件情報の中から一つの撮影条件情報を選択し、該撮影条件情報を設定することを特徴とする。
【００６９】
本発明によれば、撮影条件情報が複数検索された場合、複数の撮影条件情報の中から一つの撮影条件情報を選択し、該撮影条件情報を設定することとしたので、過去の撮影実績を今回の撮影に有効に活かすことができる。
【００７０】
また、本発明は、上記発明において、前記撮影条件情報には、撮影位置の情報が含まれており、該撮影位置の情報は、前記撮影端末において撮影者を撮影位置へ案内するのに用いられることを特徴とする。
【００７１】
本発明によれば、撮影条件情報に含まれる撮影位置の情報を、撮影端末において撮影者を撮影位置へ案内するのに用いることとしたので、迅速に撮影者を撮影位置へ到着させ、撮影にかかる時間を節約することができる。
【００７２】
また、本発明は、上記発明において、前記撮影条件情報には、撮影時における前記撮影端末の姿勢の情報が含まれており、該姿勢の情報は、設定された姿勢に前記撮影端末を調整するのに用いられることを特徴とする。
【００７３】
本発明によれば、撮影条件情報に含まれる撮影端末の姿勢の情報を、設定された姿勢に撮影端末を調整するのに用いることとしたので、撮影者のスキルによらず、的確な姿勢調整を行うことができる。
【００７４】
また、本発明は、上記発明において、前記姿勢の情報は、撮影位置、撮影方向および撮影角度の情報であることを特徴とする。
【００７５】
本発明によれば、姿勢の情報を、撮影位置、撮影方向および撮影角度の情報としたので、撮影者のスキルによらず、撮影端末の姿勢を迅速に調整することができる。
【００７６】
また、本発明は、上記発明において、前記撮影条件情報は、撮影位置、撮影方向、撮影角度、被写体、撮影パラメータの情報を含むことを特徴とする。
【００７７】
本発明によれば、撮影条件情報を、撮影位置、撮影方向、撮影角度、被写体、撮影パラメータの情報を含むこととしたので、撮影者のスキルによらず、撮影端末の姿勢の調整、撮影パラメータの設定を迅速に行うことができる。
【００７８】
また、本発明は、上記発明において、前記変更手段は、今回の画像情報と過去の画像情報とを対比した結果に基づいて、前記撮影条件情報を変更することを特徴とする。
【００７９】
本発明によれば、今回の画像情報と過去の画像情報とを対比した結果に基づいて、撮影条件情報を変更することとしたので、今回の画像情報に対して的確な評価ができ、より適切に変更することができる。
【００８０】
また、本発明は、上記発明において、前記変更手段は、前記過去の画像情報に対応する撮影条件情報を、変更後の撮影条件情報とすることを特徴とする。
【００８１】
本発明によれば、過去の画像情報に対応する撮影条件情報を、変更後の撮影条件情報とすることとしたので、過去の撮影実績を再撮影に有効に活かすことができる。
【００８２】
また、本発明は、上記発明において、前記設定手段は、撮影位置付近の電子地図に基づいて、撮影位置、撮影方向の情報を撮影条件情報として設定することを特徴とする。
【００８３】
本発明によれば、撮影位置付近の電子地図に基づいて、撮影位置、撮影方向の情報を撮影条件情報として設定することとしたので、的確な設定を行うことができる。
【００８４】
また、本発明は、上記発明において、前記変更手段は、設定された撮影位置および撮影方向がマッピングされた電子地図、撮影された画像情報、前記撮影条件情報を撮影指示者に提示し、該撮影指示者に撮影条件情報を変更させることを特徴とする。
【００８５】
本発明によれば、設定された撮影位置および撮影方向がマッピングされた電子地図、撮影された画像情報、撮影条件情報を撮影指示者に提示し、該撮影指示者に撮影条件情報を変更させることとしたので、的確に変更を行うことができる。
【００８６】
また、本発明は、上記発明において、前記変更手段は、撮影指示者と撮影者との間に双方向通信路を設定し、該撮影指示者に撮影条件情報の変更を指示させることを特徴とする。
【００８７】
本発明によれば、撮影指示者と撮影者との間に双方向通信路を設定し、該撮影指示者に撮影条件情報の変更を指示させることとしたので、両者の会話を介して、迅速に変更することができる。
【発明の効果】
【００８８】
以上説明したように、本発明によれば、撮影端末で被写体を撮影するのに適した設定された撮影条件情報を撮影端末へ送信し、撮影条件情報に基づいて撮影端末で撮影された画像情報が所定の基準を満たさない場合、該基準を満たすように、撮影条件情報を変更し、変更後の撮影条件情報を撮影端末へ再送信することとしたので、撮影者の主観や熟練度に左右されることなく、迅速かつ効率的に所望の画像情報を得ることができるという効果を奏する。
【００８９】
また、本発明によれば、熟練度が高い撮影指示者に撮影条件情報を設定させることとしたので、さらに、迅速かつ効率的に所望の画像情報を得ることができるという効果を奏する。
【００９０】
また、本発明によれば、撮影条件情報の一部をキーとして、過去の撮影条件情報から今回の撮影に適した撮影条件情報を検索し、検索された撮影条件情報を設定することとしたので、過去の撮影実績を今回の撮影に有効に活かすことができるという効果を奏する。
【００９１】
また、本発明によれば、撮影条件情報が複数検索された場合、複数の撮影条件情報の中から一つの撮影条件情報を選択し、該撮影条件情報を設定することとしたので、過去の撮影実績を今回の撮影に有効に活かすことができるという効果を奏する。
【００９２】
また、本発明によれば、撮影条件情報に含まれる撮影位置の情報を、撮影端末において撮影者を撮影位置へ案内するのに用いることとしたので、迅速に撮影者を撮影位置へ到着させ、撮影にかかる時間を節約することができるという効果を奏する。
【００９３】
また、本発明によれば、撮影条件情報に含まれる撮影端末の姿勢の情報を、設定された姿勢に撮影端末を調整するのに用いることとしたので、撮影者のスキルによらず、的確な姿勢調整を行うことができるという効果を奏する。
【００９４】
また、本発明によれば、姿勢の情報を、撮影位置、撮影方向および撮影角度の情報としたので、撮影者のスキルによらず、撮影端末の姿勢を迅速に調整することができるという効果を奏する。
【００９５】
また、本発明によれば、撮影条件情報を、撮影位置、撮影方向、撮影角度、被写体、撮影パラメータの情報を含むこととしたので、撮影者のスキルによらず、撮影端末の姿勢の調整、撮影パラメータの設定を迅速に行うことができるという効果を奏する。
【００９６】
また、本発明によれば、今回の画像情報と過去の画像情報とを対比した結果に基づいて、撮影条件情報を変更することとしたので、今回の画像情報に対して的確な評価ができ、より適切に変更することができるという効果を奏する。
【００９７】
また、本発明によれば、過去の画像情報に対応する撮影条件情報を、変更後の撮影条件情報とすることとしたので、過去の撮影実績を再撮影に有効に活かすことができるという効果を奏する。
【００９８】
また、本発明によれば、撮影位置付近の電子地図に基づいて、撮影位置、撮影方向の情報を撮影条件情報として設定することとしたので、的確な設定を行うことができるという効果を奏する。
【００９９】
また、本発明によれば、設定された撮影位置および撮影方向がマッピングされた電子地図、撮影された画像情報、撮影条件情報を撮影指示者に提示し、該撮影指示者に撮影条件情報を変更させることとしたので、的確に変更を行うことができるという効果を奏する。
【０１００】
また、本発明によれば、撮影指示者と撮影者との間に双方向通信路を設定し、該撮影指示者に撮影条件情報の変更を指示させることとしたので、両者の会話を介して、迅速に変更することができるという効果を奏する。
【発明を実施するための最良の形態】
【０１０１】
以下に、本発明にかかる撮影支援プログラム、撮影支援方法および撮影支援装置の一実施例を図面に基づいて詳細に説明する。なお、この一実施例によりこの発明が限定されるものではない。
【実施例】
【０１０２】
図１は、本発明にかかる一実施例の構成を示すブロック図である。同図には、撮影支援装置１０と、移動通信ネットワーク２０および無線基地局３０を介して撮影支援装置１０と接続される撮影端末４０（図２参照）とからなる撮影支援システムが図示されている。
【０１０３】
撮影支援装置１０は、撮影指示者側に設けられており、撮影現場の撮影者に携帯される撮影端末４０に撮影条件（撮影位置、撮影方向、撮影角度等）を指示し、所望の画像を得る支援を行う装置である。
【０１０４】
ここで、撮影指示者は、画像の分析、撮影技術に長けており、撮影に関する熟練度が高い者であって、撮影者に直接的または間接的に撮影の指示を出す者である。この撮影指示者は、事務所内に設置された表示部１３の前で指示を出す。
【０１０５】
一方、撮影者は、撮影端末４０を携帯して撮影現場に赴き、撮影指示者からの指示に基づいて、実際に撮影を行う者である。一実施例では、撮影者に対して、高い熟練度が要求されない。
【０１０６】
撮影支援装置１０において、制御部１１は、各部を制御する。この制御部１１の動作の詳細については、後述する。操作部１２は、キーボード、マウス等であり、撮影指示者により操作される。表示部１３は、ＬＣＤ（Liquid Crystal Display）やＣＲＴ（Cathode Ray Tube）であり、後述する各種画面（図７〜図９および図１３参照）を表示する。
【０１０７】
記憶部１４は、撮影支援装置１０で取り扱われる各種情報やコンピュータプログラムを記憶する。イヤホンマイク１５は、ハンズフリー型でイヤホンとマイクロフォンとが一体とされ、撮影指示者に装着される。このイヤホンマイク１５は、撮影指示者が撮影者に対して、直接撮影指示を出す場合に用いられる。通信部１６は、移動通信ネットワーク２０に接続されており、所定の通信プロトコルに従って、撮影端末４０との間の通信を制御する。
【０１０８】
地図情報データベース１７は、全国各地の地図情報を格納するデータベースである。この地図情報データベース１７では、場所を検索キーとして、当該場所を含む地図情報が検索可能である。
【０１０９】
撮影情報データベース１８は、図３に示したように、「撮影ＩＤ」、「撮影者」、「画像情報」、「撮影日時」、「天候」、「気温」、「湿度」、「撮影場所」、「被写体」、「撮影位置」、「撮影方向」、「撮影角度」、「オートフォーカス機能」、「シャッタ速度」、「絞り値」、「露光方式」等からなる撮影情報を格納するデータベースである。
【０１１０】
「撮影ＩＤ」は、当該撮影を識別するための識別子である。「撮影者」は、当該撮影を行った者の氏名である。「画像情報」は、当該撮影でデジタルカメラにより撮影された画像のファイルである。「撮影日時」は、当該画像が撮影された日時であり、シャッタが切られた日時である。
【０１１１】
「天候」は、撮影時の天候（晴れ、快晴、くもり、雨、雪等）である。「気温」は、撮影時の気温である。「湿度」は、撮影時の湿度である。「撮影場所」は、被写体が存在している場所（地図上の地名や住所等）である。「被写体」は、撮影対象の建物等の名称を表す。「撮影位置」は、撮影時における撮影者（撮影端末４０）の立ち位置であり、地図上の緯度経度で表される。
【０１１２】
「撮影方向」は、真北を０°（基準）とした場合に、撮影位置から見た被写体の方向（時計回り）を表す。「撮影角度」は、撮影端末４０の高さにおける水平面を０°（基準）とし、該水平面と撮影端末４０の焦点方向とのなす角度を表す。上述した「撮影位置」、「撮影方向」および「撮影角度」は、被写体に対するカメラ姿勢を決定付けるパラメータである。
【０１１３】
「オートフォーカス機能」は、撮影端末４０における自動焦点機能の使用有無を表す。「シャッタ速度」、「絞り値」、「露光方式」等は、撮影端末４０における撮影品質を決定付けるパラメータである。
【０１１４】
図１に戻り、撮影端末４０は、撮影現場の撮影者に携帯され、デジタルカメラ機能、通信機能、測定機能等を備えている。この撮影端末４０は、通信機能付きデジタルカメラ、デジタルカメラ付き携帯電話端末、デジタルカメラ付きＰＤＡ（Personal Digital Assistant）等である。
【０１１５】
図２は、上記撮影端末４０の外観構成を示す斜視図である。この図において、図１の各部に対応する部分には同一の符号を付ける。
【０１１６】
図１に示した撮影端末４０において、無線通信部４１は、所定の通信プロトコルに従って、無線基地局３０および移動通信ネットワーク２０を介して、撮影端末４０と撮影支援装置１０との間の通信を制御する。デジタルカメラ部４２は、デジタル処理により被写体を撮影し、撮影結果を画像情報として出力する。表示部４３は、ＬＣＤであり、後述する各種画面（図１０〜図１２参照）を表示する。
【０１１７】
操作部４４は、撮影者により操作されるボタン、トラックボール、各種キー等である。イヤホンマイク４５は、図２に示したように、ハンズフリー型でイヤホンとマイクロフォンとが一体とされ、撮影者に装着される。このイヤホンマイク４５は、撮影指示者が撮影者に対して、直接撮影指示を出す場合に用いられる。
【０１１８】
制御部４６は、各部を制御する。この制御部４６の動作の詳細については、後述する。記憶部４７は、撮影端末４０で用いられる各種情報を記憶する。撮影位置測定部４８は、周知のＧＰＳ（Global Positioning System）により、撮影位置（緯度、経度、（高さ））を測定する機能を備えている。
【０１１９】
撮影方向測定部４９は、電子コンパスであり、上述した撮影方向を測定する。撮影角度測定部５０は、上述した撮影角度を測定する。温湿度測定部５１は、撮影時の温度および湿度を測定する。タイマ５２は、時刻情報を出力する。
【０１２０】
つぎに、一実施例の動作について、図４〜図６に示したフローチャート、図７〜図１３に示した各種画面を参照しつつ説明する。以下では、３Ｄ地図を制作するために、建物付近を撮影する場合について説明する。この場合、事務所に撮影指示者が待機しており、撮影現場に撮影者が待機しているものとする。
【０１２１】
撮影指示者により撮影指示のコマンドが操作部１２より入力されると、図４に示したステップＳＡ１では、撮影条件（撮影位置、撮影方向、撮影角度等）を設定するための撮影条件設定処理が実行される。
【０１２２】
ステップＳＡ２では、制御部１１は、初期設定ボタン１１４が押下されたか否かを判断する。この判断結果が「Ｎｏ」である場合、ステップＳＡ３では、制御部１１は、検索ボタン１１５が押下されたか否かを判断し、この場合、判断結果を「Ｎｏ」とする。以後、制御部１１は、判断結果が「Ｙｅｓ」となるまで、ステップＳＡ２およびステップＳＡ３の判断を繰り返す。
【０１２３】
具体的には、撮影支援装置１０の制御部１１は、図７に示した撮影条件設定画面１００を表示部１３に表示させる。この撮影条件設定画面１００は、撮影条件として、撮影場所、被写体、撮影位置、撮影方向、撮影角度、オートフォーカス機能、シャッタ速度、絞り値、露光方式等を設定するための画面である。
【０１２４】
図４に示したステップＳＡ２では、制御部１１は、初期設定ボタン１１４（図７参照）が押下されたか否かを判断し、この場合、判断結果を「Ｎｏ」とする。ステップＳＡ３では、制御部１１は、検索ボタン１１５が押下されたか否かを判断し、この場合、判断結果を「Ｎｏ」とする。以後、制御部１１は、判断結果が「Ｙｅｓ」となるまで、ステップＳＡ２およびステップＳＡ３の判断を繰り返す。
【０１２５】
撮影指示者は、操作部１２を用いて、撮影場所設定欄１０１および被写体設定欄１０２に撮影場所および被写体をそれぞれ設定する。
【０１２６】
ここで、撮影場所付近の地図を確認する場合、撮影指示者は、地図表示ボタン１１１を押下する。これにより、操作部１２は、撮影場所設定欄１０１に設定された撮影場所をキーとして、地図情報データベース１７を検索し、当該地図情報１１２をポップアップ表示させる。
【０１２７】
つぎに、撮影指示者は、地図情報１１２で撮影位置や被写体の位置を確認しながら、撮影位置設定欄１０３および撮影方向設定欄１０４に撮影位置および撮影方向を設定する。
【０１２８】
また、一実施例では、撮影位置、撮影方向の数値が不明な場合には、地図上で設定も可能である。この場合、撮影指示者により地図上設定ボタン１１３が押下されると、制御部１１は、撮影場所設定欄１０１に設定された設定場所をキーとして、地図情報データベース１７を検索し、撮影場所付近の地図情報１２１（図８参照）を取得する。
【０１２９】
つぎに、制御部１１は、図８に示した地図上設定画面１２０を表示部１３に表示させる。この地図上設定画面１２０は、上記検索された地図情報１２１の上で撮影位置および撮影方向を設定するための画面である。
【０１３０】
撮影指示者は、地図情報１２１上で被写体の位置および撮影位置を確認し、操作部１２を用いて、ポインタ１２２を撮影位置Ｐ０に移動させた後、撮影方向に回転させる。このポインタ１２２は、撮影位置および撮影方向を表す。
【０１３１】
そして、撮影指示者により撮影位置方向設定ボタン１２３が押下されると、制御部１１は、ポインタ１２２で表される撮影位置（緯度、経度）および撮影方向の数値を地図情報１２１から読み取った後、これらを図７に示した撮影位置設定欄１０３および撮影方向設定欄１０４に自動設定する。なお、図８でキャンセルボタン１２４が押下されると、地図上設定がキャンセルされる。
【０１３２】
つぎに、撮影指示者は、撮影角度設定欄１０５に撮影端末４０に関する撮影角度を設定する。この時点では、カメラ姿勢のパラメータ（撮影位置、撮影方向、撮影角度）が設定される。
【０１３３】
つぎに、撮影指示者は、オートフォーカス機能の使用の有無について、使用チェックボックス１０６または未使用チェックボックス１０７にチェックを付け、設定する。つぎに、撮影指示者は、残りのシャッタ速度設定欄１０８、絞り値設定欄１０９、露光方式設定欄１１０等にシャッタ速度、絞り値、露光方式等をそれぞれ設定する。
【０１３４】
つぎに、撮影指示者は、上記設定を初期設定とすべく、初期設定ボタン１１４を押下する。これにより、制御部１１は、ステップＳＡ２の判断結果を「Ｙｅｓ」とする。ステップＳＡ９では、制御部１１は、初期設定された上記撮影条件情報を採用する。ステップＳＡ１０では、制御部１１は、当該撮影条件に対応する撮影条件情報を移動通信ネットワーク２０および無線基地局３０を介して、撮影端末４０へ送信する。
【０１３５】
そして、撮影端末４０により撮影条件情報が受信されると、図５に示したステップＳＡ１３では、撮影端末４０の制御部４６は、撮影条件情報に基づいて、図１０に示した撮影条件確認画面１４０を表示部４３に表示させる。また、制御部４６は、撮影条件情報に含まれるオートフォーカス機能の使用、シャッタ速度、絞り値、露光方式等の撮影パラメータをデジタルカメラ部４２に設定する。
【０１３６】
この撮影条件確認画面１４０には、撮影指示者により設定された撮影条件情報（撮影場所、被写体、撮影位置、撮影方向、撮影角度、オートフォーカス機能、シャッタ速度、絞り値、露光方式等）が表示されている。撮影者は、撮影条件情報を確認する。
【０１３７】
また、制御部４６は、所定時間間隔で撮影位置測定部４８から現在位置を取得し、これを現在位置表示欄１４１にリアルタイムで表示する。これにより、撮影者は、設定された撮影位置と、現在位置との差分を確認することができる。
【０１３８】
また、撮影者により地図表示ボタン１４２が押下されると、制御部４６は、撮影支援装置１０にアクセスし、撮影場所付近の地図情報１４３を取得した後、地図情報１４３に撮影位置Ｐ０および撮影方向に対応するポインタと、現在位置Ｐ１に対応する星印とをマッピングした状態でポップアップ表示させる。これにより、撮影者は、現在位置と撮影位置との差分を地図上で確認することができる。
【０１３９】
ステップＳＡ１４では、制御部４６は、撮影位置と現在位置とが一致するか否かを判断し、この場合、判断結果を「Ｎｏ」とする。ステップＳＡ１５では、制御部４６は、周知のナビゲーション方式により、撮影者を現在位置から撮影位置まで案内する。具体的には、制御部４６は、ナビゲーション方式により、現在位置から撮影位置までの道順を確認した後、撮影条件確認画面１４０に案内情報１４４を表示させる。この案内情報１４４は、「２００ｍ先のＺ交差点を右折後、１５０ｍ直進してください。」という案内に関するものである。
【０１４０】
撮影者は、案内情報１４４に従って、撮影位置まで案内される。そして、撮影者が撮影位置に到着すると、現在位置表示欄１４１に表示されている現在位置と撮影位置とが一致するため、制御部４６は、ステップＳＡ１４の判断結果を「Ｙｅｓ」とする。ステップＳＡ１６では、制御部４６は、音声等により撮影位置への到着を撮影者に報知する。
【０１４１】
ステップＳＡ１７では、現地情報設定処理が実行される。具体的には、制御部４６は、図１１に示した現地情報設定画面１５０を表示部４３に表示させる。これにより、撮影者は、操作部４４を用いて、現地情報設定画面１５０の撮影者設定欄１５１、天候設定欄１５２等に撮影者の氏名、撮影現場の天候等を設定した後、設定ボタン１５３を押下する。
【０１４２】
ステップＳＡ１８では、制御部４６は、図１２に示した撮影画面１６０を表示部４３に表示させる。撮影画面１６０は、被写体を撮影するための画面である。撮影者は、撮影画面１６０を見ながら、被写体を撮影する。撮影画面１６０において、画像情報１６１は、デジタルカメラ部４２によりリアルタイムに映し出された画像である。
【０１４３】
撮影方向（２７０度）は、撮影指示者により設定された値である。実撮影方向表示欄１６２には、撮影方向測定部４９により測定されたリアルタイムな実撮影方向が表示される。地図情報１６３は、地図情報１４３（図１０参照）、すなわち、撮影場所付近の地図に対応している。
【０１４４】
この地図情報１６３には、撮影位置における設定された撮影方向（同図では、２７０度）を表す設定撮影方向ポインタ１６４と、撮影位置における実撮影方向（同図では、２６７度）を表す実撮影方向ポインタ１６５とが表示されている。設定撮影方向ポインタ１６４は、固定である。一方、実撮影方向ポインタ１６５は、実撮影方向の変化に伴って回転する。設定された撮影方向と実撮影方向とが一致した場合、設定撮影方向ポインタ１６４と実撮影方向ポインタ１６５とは完全に重なる。
【０１４５】
撮影角度は、撮影指示者により設定された値である。実撮影角度表示欄１６６には、撮影角度測定部５０により測定されたリアルタイムな実撮影角度が表示される。撮影角度対比図１６７には、設定された撮影角度（同図では、＋１５度）に対応する設定撮影角度ポインタ１６８と、実撮影角度に対応する実撮影角度ポインタ１６９とが表示されている。設定撮影角度ポインタ１６８は、固定である。一方、実撮影角度ポインタ１６９は、実撮影方向の変化に伴って、回転する。
【０１４６】
図５に戻り、ステップＳＡ１９では、制御部４６は、実撮影方向・角度が設定値と一致しているか否かを判断し、この場合、判断結果を「Ｎｏ」とする。すなわち、制御部４６は、実撮影方向と設定された撮影方向とが一致し、かつ実撮影角度と設定された撮影角度とが一致するか否かを判断している。
【０１４７】
ステップＳＡ２０では、制御部４６は、設定された撮影方向と実撮影方向とが一致し、かつ設定された撮影角度と実撮影角度とが一致するように、撮影者に案内するという案内処理を実行する。
【０１４８】
具体的には、制御部４６は、設定された撮影方向と実撮影方向との差分と、設定された撮影角度と実撮影角度との差分とを計算し、これらの差分に基づいて、撮影画面１６０に案内情報１７０を表示させる。この案内情報１７０は、「時計回りに３度回転させ、撮影角度を２度下げてください。」という案内に関する情報である。
【０１４９】
これにより、撮影者は、案内情報１７０に従って、撮影端末４０を時計回りに回転させるとともに、撮影角度を下げて、撮影端末４０の撮影方向および撮影角度が設定値となるように調整する。
【０１５０】
なお、一実施例においては、姿勢調整器付きの三脚に撮影端末４０を固定し、制御部４６が姿勢調整器に撮影方向および撮影角度を制御するための制御信号を供給する構成としてもよい。この場合には、姿勢調整器は、制御信号に基づいて、撮影端末４０の撮影方向および撮影角度を設定値に自動調整する。
【０１５１】
そして、実撮影方向・角度が設定値と一致すると、制御部４６は、ステップＳＡ１９の判断結果を「Ｙｅｓ」とする。この時点で撮影画面１６０には、設定通りの画像情報１６１が表示されている。ステップＳＡ２１では、制御部４６は、撮影者に対して、撮影開始を音声等により指示する。
【０１５２】
ステップＳＡ２２では、制御部４６は、撮影ボタン１７１（カメラシャッタに相当）が押下されたか否かを判断し、この場合、判断結果を「Ｎｏ」とする。そして、撮影者により撮影ボタン１７１が押下されると、制御部４６は、ステップＳＡ２２の判断結果を「Ｙｅｓ」とする。
【０１５３】
ステップＳＡ２３では、デジタルカメラ部４２は、前述した撮影パラメータに基づいて、画像情報１６１を画像情報として取り込むという撮影処理を実行する。ステップＳＡ２４では、制御部４６は、撮影された画像情報１６１を記憶部４７に保存する。
【０１５４】
ステップＳＡ２５では、制御部４６は、撮影ボタン１７１が押下された時点における撮影情報を生成する。撮影情報は、撮影者、画像情報（画像情報１６１）、撮影日時、天候、気温、湿度、撮影場所、被写体、撮影位置、撮影方向、撮影角度、オートフォーカス機能、シャッタ速度、絞り値、露光方式等である。
【０１５５】
図６に示したステップＳＡ２６では、制御部４６は、無線基地局３０および移動通信ネットワーク２０を介して、ステップＳＡ２５で生成された撮影情報を撮影支援装置１０へ送信する。上記撮影情報を受信すると、ステップＳＡ２７では、制御部１１は、受信した上記撮影情報に含まれる撮影場所をキーとして、地図情報データベース１７から撮影場所付近の地図情報１８１（図１３参照）を検索する。
【０１５６】
ステップＳＡ２８では、撮影支援装置１０の制御部１１は、上記撮影情報および地図情報１８１に基づいて、図１３に示した撮影指示画面１８０を表示部１３に表示させる。撮影指示画面１８０は、実際に撮影された画像を見ながら、撮影指示者が撮影者に対して再撮影を指示するための画面である。
【０１５７】
この時点で、撮影指示画面１８０には、地図情報１８１、設定撮影角度図１８３、画像情報１８４、撮影条件情報１８５、対比ボタン１８６、撮影条件変更ボタン１８７、直接指示ボタン１８８、保存ボタン１８９が表示されている。なお、この時点では、他画像情報１９０および他撮影条件情報１９１が表示されていない。
【０１５８】
地図情報１８１は、ステップＳＡ２７で検索された地図情報である。地図情報１８１上には、受信した撮影情報に含まれる撮影位置および撮影方向を表すポインタ１８２が表示されている。設定撮影角度図１８３は、受信した撮影情報に含まれる撮影角度を表す。画像情報１８４は、設定された撮影条件で実際に撮影端末４０で撮影された画像の情報である。撮影条件情報１８５は、撮影端末４０より受信した撮影情報に対応している。
【０１５９】
対比ボタン１８６は、画像情報１８４を評価する場合に、画像情報１８４を他の画像情報と対比させながら判断する場合に押下されるボタンである。撮影条件変更ボタン１８７は、画像情報１８４が所望の品質でない場合に、撮影条件を変更し、撮り直す場合に押下されるボタンである。
【０１６０】
直接指示ボタン１８８は、画像情報１８４が所望の品質でない場合に、撮影者に対して、撮影条件の変更を直接指示し、撮り直す場合に押下されるボタンである。保存ボタン１８９は、画像情報１８４が所望の品質であって、画像情報１８４を撮影画像として確定させて保存する場合に押下されるボタンである。
【０１６１】
図６に戻り、ステップＳＡ２９では、制御部１１は、対比ボタン１８６が押下されたか否かを判断し、この場合、判断結果を「Ｎｏ」とする。ステップＳＡ３２では、制御部１１は、撮影条件変更ボタン１８７（または後述する撮影条件変更ボタン１９２）が押下されたか否かを判断し、この場合、判断結果を「Ｎｏ」とする。ステップＳＡ３３では、制御部１１は、直接指示ボタン１８８が押下されたか否かを判断し、この場合、判断結果を「Ｎｏ」とする。
【０１６２】
ステップＳＡ３４では、制御部１１は、保存ボタン１８９が押下されたか否かを判断し、この場合、判断結果を「Ｎｏ」とする。以後、制御部１１は、ステップＳＡ２９、ステップＳＡ３２、ステップＳＡ３３、ステップＳＡ３４の判断を繰り返す。
【０１６３】
そして、撮影指示者は、図１３に示した画像情報１８４を評価する。ここで、他画像情報と対比しつつ評価する場合、撮影指示者は、操作部１２を用いて、対比ボタン１８６を押下する。
【０１６４】
これにより、制御部１１は、ステップＳＡ２９の判断結果を「Ｙｅｓ」とする。ステップＳＡ３０では、制御部１１は、画像情報１８４に対応する撮影条件情報１８５と類似する撮影条件情報を検索すべく、撮影条件情報１８５のうち所定の条件（例えば、撮影場所、被写体、撮影位置等）をキーとして、撮影情報データベース１８（図３参照）を検索する。
【０１６５】
ステップＳＡ３１では、制御部１１は、検索された他撮影条件情報１９１と、他撮影条件情報１９１に対応する他画像情報１９０とを撮影指示画面１８０に表示させる。なお、検索ヒットしない場合には、検索エラーとなりステップＳＡ３１がスキップされる。また、検索結果の件数が複数ある場合、他撮影条件情報および他画像情報が撮影指示画面１８０に順次表示される。
【０１６６】
撮影指示者は、画像情報１８４（撮影条件情報１８５）と他画像情報１９０（他撮影条件情報１９１）とを対比させながら、撮影条件の変更について検討する。例えば、撮影指示者は、操作部１２を用いて、撮影条件情報１８５のシャッタ速度を１３５０から１５６３（他撮影条件情報１９１のシャッタ速度）に変更した後、撮影条件変更ボタン１８７を押下する。
【０１６７】
これにより、制御部１１は、ステップＳＡ３２の判断結果を「Ｙｅｓ」とする。図４に示したステップＳＡ１０では、制御部１１は、変更後の撮影条件情報を撮影端末４０に送信する。以後、変更後の撮影条件情報に基づいて、図５に示したステップＳＡ１３〜図６に示したステップＳＡ２８の処理が実行され、被写体が撮り直され、画像情報が撮影指示画面１８０に表示される。
【０１６８】
撮り直された画像情報が所望の品質である場合、撮影指示者は、保存ボタン１８９を押下する。これにより、制御部１１は、ステップＳＡ３４の判断結果を「Ｙｅｓ」とする。ステップＳＡ３８では、制御部１１は、当該撮影情報を撮影情報データベース１８に格納する。
【０１６９】
また、画像情報１８４（撮影条件情報１８５）と他画像情報１９０（他撮影条件情報１９１）との対比検討において、撮影条件情報１８５を他撮影条件情報１９１に変更する場合、すなわち、他画像情報１９０と同一の撮影条件で撮り直しする場合、撮影指示者は、撮影条件変更ボタン１９２を押下する。
【０１７０】
これにより、制御部１１は、ステップＳＡ３２の判断結果を「Ｙｅｓ」とする。図４に示したステップＳＡ１０では、制御部１１は、他撮影条件情報１９１を撮影端末４０に送信する。以後、他撮影条件情報１９１に基づいて、図５に示したステップＳＡ１３〜図６に示したステップＳＡ２８の処理が実行され、被写体が撮り直され、画像情報が撮影指示画面１８０に表示される。
【０１７１】
撮り直された画像情報が所望の品質である場合、撮影指示者は、保存ボタン１８９を押下する。これにより、制御部１１は、ステップＳＡ３４の判断結果を「Ｙｅｓ」とする。ステップＳＡ３８では、制御部１１は、当該撮影情報を撮影情報データベース１８に格納する。
【０１７２】
また、直接指示を行う場合、撮影指示者は、直接指示ボタン１８８を押下する。これにより、制御部１１は、ステップＳＡ３３の判断結果を「Ｙｅｓ」とする。ステップＳＡ３５では、制御部１１は、イヤホンマイク１５を起動する。
【０１７３】
ステップＳＡ３６では、撮影支援装置１０と撮影端末４０との間で双方向通信が行われ、イヤホンマイク１５を装着した撮影指示者は、イヤホンマイク４５を装着した撮影者に撮影条件の変更を直接指示する。
【０１７４】
これにより、ステップＳＡ３７では、撮影者は、操作部４４を用いて、指示通りに撮影条件（例えば、シャッタ速度）を変更する。以後、図５に示したステップＳＡ２２〜図６に示したステップＳＡ２８の処理が実行され、被写体が撮り直され、画像情報が撮影指示画面１８０に表示される。
【０１７５】
撮り直された画像情報が所望の品質である場合、撮影指示者は、保存ボタン１８９を押下する。これにより、制御部１１は、ステップＳＡ３４の判断結果を「Ｙｅｓ」とする。ステップＳＡ３８では、制御部１１は、当該撮影情報を撮影情報データベース１８に格納する。
【０１７６】
また、図４に示したステップＳＡ１では、前述したように、撮影条件設定処理が実行され、図７に示した撮影条件設定画面１００の撮影場所設定欄１０１および被写体設定欄１０２に撮影場所および被写体が設定される。
【０１７７】
ここで、一実施例においては、撮影位置、撮影方向、撮影角度、フォーカス機能、シャッタ速度、絞り値、露光方式等について、過去の撮影条件情報を検索し、設定することも可能である。
【０１７８】
この場合、撮影指示者は、操作部１２を用いて、撮影条件設定画面１００の検索ボタン１１５を押下する。これにより、制御部１１は、ステップＳＡ３の判断結果を「Ｙｅｓ」とする。
【０１７９】
ステップＳＡ４では、制御部１１は、撮影場所設定欄１０１および被写体設定欄１０２に設定された撮影場所、被写体を検索キーとして、撮影情報データベース１８（図３参照）を検索する。この検索結果は、撮影検索条件の候補である。なお、検索キーは、撮影場所、被写体に限られることなく、撮影位置や撮影方向等の他のパラメータであってもよい。ステップＳＡ５では、制御部１１は、ステップＳＡ４で検索ヒットしたか否かを判断し、この場合、判断結果を「Ｙｅｓ」とする。なお、ステップＳＡ５の判断結果が「Ｎｏ」である場合、制御部１１は、ステップＳＡ１の処理を実行する。
【０１８０】
ステップＳＡ６では、制御部１１は、検索結果に基づいて、図９に示した撮影条件情報選択画面１３０を表示部１３に表示させる。この撮影条件情報選択画面１３０には、過去の撮影条件情報群１３１が表示されている。この撮影条件情報群１３１には、撮影情報に対応する選択ボタンが表示されている。
【０１８１】
ステップＳＡ７では、制御部１１は、選択ボタン（図９では、選択ボタン１３２、１３３）が押下されたか否かを判断し、この場合、判断結果を「Ｎｏ」とする。ステップＳＡ８では、制御部１１は、キャンセルボタン１３４が押下されたか否かを判断し、この場合、判断結果を「Ｎｏ」とする。なお、ステップＳＡ８の判断結果が「Ｙｅｓ」である場合、制御部１１は、ステップＳＡ１の処理を実行する。以後、判断結果が「Ｙｅｓ」となるまで、ステップＳＡ７およびステップＳＡ８の判断が繰り返される。
【０１８２】
そして、撮影指示者は、撮影条件情報群１３１から、今回の撮影に最も適した撮影条件情報を選択する。例えば、撮影ＩＤ（＝００２５８１２３）に対応する撮影条件情報を選択する場合、撮影指示者は、操作部１２を用いて、選択ボタン１３２を押下する。
【０１８３】
これにより、制御部１１は、ステップＳＡ７の判断結果を「Ｙｅｓ」とする。ステップＳＡ１１では、制御部１１は、撮影条件情報選択画面１３０で選択された撮影条件情報を採用する。ステップＳＡ１２では、制御部１１は、移動通信ネットワーク２０および無線基地局３０を介して、採用された撮影条件情報を撮影端末４０へ送信する。以後、前述したように、図５に示したステップＳＡ１３以降の処理が実行され、過去の撮影条件情報に基づいて被写体が撮影される。
【０１８４】
以上説明したように、一実施例によれば、撮影端末４０で被写体を撮影するのに適した設定された撮影条件情報を撮影端末４０へ送信し、撮影条件情報に基づいて撮影端末４０で撮影された画像情報が所定の基準を満たさない場合、該基準を満たすように、撮影条件情報を変更し、変更後の撮影条件情報を撮影端末４０へ再送信することとしたので、撮影者の主観や熟練度に左右されることなく、迅速かつ効率的に所望の画像情報を得ることができる。
【０１８５】
また、一実施例によれば、熟練度が高い撮影指示者に撮影条件情報を設定させることとしたので、さらに、迅速かつ効率的に所望の画像情報を得ることができる。
【０１８６】
また、一実施例によれば、撮影条件情報の一部をキーとして、過去の撮影条件情報から今回の撮影に適した撮影条件情報を検索し（ステップＳＡ４；図４参照）、検索された撮影条件情報を設定することとしたので、過去の撮影実績を今回の撮影に有効に活かすことができる。
【０１８７】
また、一実施例によれば、撮影条件情報選択画面１３０（図９参照）で説明したように、撮影条件情報が複数検索された場合、複数の撮影条件情報の中から一つの撮影条件情報を選択し、該撮影条件情報を設定することとしたので、過去の撮影実績を今回の撮影に有効に活かすことができる。
【０１８８】
また、一実施例によれば、撮影条件情報に含まれる撮影位置の情報を、撮影端末４０において撮影者を撮影位置へ案内するのに用いることとしたので（ステップＳＡ１５：図５参照）、迅速に撮影者を撮影位置へ到着させ、撮影にかかる時間を節約することができる。
【０１８９】
また、一実施例によれば、撮影条件情報に含まれる撮影端末４０の姿勢（撮影方向、撮影角度）の情報を、設定された姿勢に撮影端末４０を調整するのに用いることとしたので（ステップＳＡ２０；図５参照）、撮影者のスキルによらず、的確な姿勢調整を行うことができる。
【０１９０】
また、一実施例によれば、姿勢の情報を、撮影位置、撮影方向および撮影角度の情報としたので、撮影者のスキルによらず、撮影端末４０の姿勢を迅速に調整することができる。
【０１９１】
また、一実施例によれば、撮影条件情報を、撮影位置、撮影方向、撮影角度、被写体、撮影パラメータ（オートフォーカス機能、シャッタ速度、絞り値、露光方式等）の情報を含むこととしたので、撮影者のスキルによらず、撮影端末４０の姿勢の調整、撮影パラメータの設定を迅速に行うことができる。
【０１９２】
また、一実施例によれば、図１３に示したように、今回の画像情報１８４と過去の他画像情報１９０とを対比した結果に基づいて、撮影条件情報を変更することとしたので（ステップＳＡ３０、ステップＳＡ３１；図６参照）、今回の画像情報１８４に対して的確な評価ができ、より適切に変更することができる。
【０１９３】
また、一実施例によれば、図１３に示したように、撮影条件変更ボタン１９２を押下することにより、過去の他画像情報１９０に対応する撮影条件情報を、変更後の撮影条件情報とすることとしたので、過去の撮影実績を再撮影に有効に活かすことができる。
【０１９４】
また、一実施例によれば、図８に示したように、撮影位置付近の地図情報１２１（電子地図）に基づいて、撮影位置、撮影方向の情報を撮影条件情報として設定することとしたので、的確な設定を行うことができる。
【０１９５】
また、一実施例によれば、図１３に示したように、設定された撮影位置および撮影方向がマッピングされた地図情報１８１（電子地図）、撮影された画像情報１８４、撮影条件情報１８５を撮影指示者に提示し、該撮影指示者に撮影条件情報を変更させることとしたので、的確に変更を行うことができる。
【０１９６】
また、一実施例によれば、撮影指示者と撮影者との間に双方向通信路を設定し（ステップＳＡ３６；図６参照）、該撮影指示者に撮影条件情報の変更を指示させることとしたので、両者の会話を介して、迅速に変更することができる。
【０１９７】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１９８】
例えば、前述した一実施例においては、撮影支援装置１０の機能を実現するためのプログラムを図１４に示したコンピュータ読み取り可能な記録媒体４００に記録して、この記録媒体４００に記録されたプログラムを同図に示したコンピュータ３００に読み込ませ、実行することにより各機能を実現してもよい。
【０１９９】
同図に示したコンピュータ３００は、上記プログラムを実行するＣＰＵ（Central Processing Unit）３１０と、キーボード、マウス等の入力装置３２０と、各種データを記憶するＲＯＭ（Read Only Memory）３３０と、演算パラメータ等を記憶するＲＡＭ（Random Access Memory）３４０と、記録媒体４００からプログラムを読み取る読取装置３５０と、ディスプレイ、プリンタ等の出力装置３６０とから構成されている。
【０２００】
ＣＰＵ３１０は、読取装置３５０を経由して記録媒体４００に記録されているプログラムを読み込んだ後、プログラムを実行することにより、前述した機能を実現する。なお、記録媒体４００としては、光ディスク、フレキシブルディスク、ハードディスク等が挙げられる。
【産業上の利用可能性】
【０２０１】
以上のように、本発明にかかる撮影支援プログラム、撮影支援方法および撮影支援装置は、デジタルカメラの撮影に対して有用である。
【図面の簡単な説明】
【０２０２】
【図１】本発明にかかる一実施例の構成を示すブロック図である。
【図２】図１に示した撮影端末４０の外観構成を示す斜視図である。
【図３】図１に示した撮影情報データベース１８のテーブル構造を示す図である。
【図４】同一実施例の動作を説明する図である。
【図５】同一実施例の動作を説明する図である。
【図６】同一実施例の動作を説明する図である。
【図７】同一実施例における撮影条件設定画面１００を示す図である。
【図８】同一実施例における地図上設定画面１２０を示す図である。
【図９】同一実施例における撮影条件情報選択画面１３０を示す図である。
【図１０】同一実施例における撮影条件確認画面１４０を示す図である。
【図１１】同一実施例における現地情報設定画面１５０を示す図である。
【図１２】同一実施例における撮影画面１６０を示す図である。
【図１３】同一実施例における撮影指示画面１８０を示す図である。
【図１４】同一実施例の変形例の構成を示すブロック図である。
【符号の説明】
【０２０３】
１０  撮影支援装置
１１  制御部
１２  操作部
１３  表示部
１５  イヤホンマイク
１６  通信部
１７  地図情報データベース
１８  撮影情報データベース
２０  移動通信ネットワーク
４０  撮影端末
４１  無線通信部
４２  デジタルカメラ部
４３  表示部
４５  イヤホンマイク
４６  制御部
４８  撮影位置測定部
４９  撮影方向測定部
５０  撮影角度測定部
５１  温湿度測定部
【図１】
2005117190.tif 000003
【図２】
2005117190.tif 000004
【図３】
2005117190.tif 000005
【図４】
2005117190.tif 000006
【図５】
2005117190.tif 000007
【図６】
2005117190.tif 000008
【図７】
2005117190.tif 000009
【図８】
2005117190.tif 000010
【図９】
2005117190.tif 000011
【図１０】
2005117190.tif 000012
【図１１】
2005117190.tif 000013
【図１２】
2005117190.tif 000014
【図１３】
2005117190.tif 000015
【図１４】
2005117190.tif 000016